(57)【要約】  空気調和機の室外機は、外郭を構成する筐体と、筐体内を送風機室と機械室とに仕切るセパレータと、送風機室に設置され、空気と冷媒との間で熱交換を行う室外熱交換器と、送風機室に設置され、室外熱交換器に送風を行う送風機と、機械室に設置され、冷媒を圧縮する圧縮機と、セパレータの送風機室側の面に設けられたヒーターと、を備えたものである。
2019058456.tif 000002
【特許請求の範囲】
【請求項１】
外郭を構成する筐体と、
前記筐体内を送風機室と機械室とに仕切るセパレータと、
前記送風機室に設置され、空気と冷媒との間で熱交換を行う室外熱交換器と、
前記送風機室に設置され、前記室外熱交換器に送風を行う送風機と、
前記機械室に設置され、冷媒を圧縮する圧縮機と、
前記セパレータの前記送風機室側の面に設けられたヒーターと、を備えた
空気調和機の室外機。
【請求項２】
前記ヒーターが、前記セパレータの前記機械室側の面にも設けられている
請求項１に記載の空気調和機の室外機。
【請求項３】
前記筐体は、前面パネルと側面パネルとを備えている
請求項１または２に記載の空気調和機の室外機。
【請求項４】
前記前面パネルと前記側面パネルとは、熱反射材料で構成されている
請求項３に記載の空気調和機の室外機。
【請求項５】
少なくとも前記前面パネルの裏面または前記側面パネルの裏面に、熱反射板が設けられている
請求項３または４に記載の空気調和機の室外機。
【請求項６】
外気温度を検出する外気温度検出装置と、
前記ヒーターを制御する制御装置と、を備え、
前記制御装置は、
前記外気温度検出装置により検出した外気温度があらかじめ設定された第１温度以下であると判定した場合、前記ヒーターをＯＮする
請求項１〜５のいずれか一項に記載の空気調和機の室外機。
【請求項７】
前記制御装置は、
前記外気温度があらかじめ設定された第２温度より高いと判定した場合、前記ヒーターをＯＦＦする
請求項６に記載の空気調和機の室外機。
【請求項８】
前記制御装置は、
前記ヒーターがＯＮ時、
前記外気温度に応じて、前記ヒーターの電力量を変更する
請求項６または７に記載の空気調和機の室外機。
【発明の詳細な説明】
【技術分野】
【０００１】
本発明は、送風機室と機械室とを仕切るセパレータを有する空気調和機の室外機に関するものである。
【背景技術】
【０００２】
従来の空気調和機の室外機において、低外気時に運転を停止させると、運転停止中に室外熱交換器の温度が下がり、室外熱交換器への液冷媒の溜まり込みが発生してしまう。その結果、暖房起動時に圧縮機に冷媒が液の状態で吸入され、圧縮機内で冷媒と冷凍機油とが混ざり希釈されてしまい、圧縮機の油濃度が薄くなってしまう。そして、圧縮機の油濃度が薄い状態で長時間運転を続けると、モータ軸などが潤滑不十分で焼き付けなどの不具合を発生させてしまう可能性がある。そこで、室外熱交換器を温める機構を備えた空気調和機の室外機が提案されている（例えば、特許文献１参照）。【０００３】
特許文献１の空気調和機の室外機は、送風機による空気の流れの送風機の上流側かつ室外熱交換器の下流側に、室外熱交換器からほぼ一定の距離を隔てて配置されたヒーターを備え、そのヒーターの輻射熱によって室外熱交換器を温めている。
【先行技術文献】
【特許文献】
【０００４】
【特許文献１】特開２０１１−２５２６４２号公報
【発明の概要】
【発明が解決しようとする課題】
【０００５】
特許文献１の空気調和機の室外機は、ヒーターが送風機による空気の流れの送風機の上流側かつ室外熱交換器の下流側に配置されている。そのため、送風機から室外熱交換器へと向かう風の一部を遮ってしまい、風量の低下によって熱交換効率が低下してしまうという課題があった。また、ヒーターを、送風機による空気の流れの送風機の上流側かつ室外熱交換器の下流側に、室外熱交換器からほぼ一定の距離を隔てて配置する必要があり、組み立て作業性が悪いという課題があった。【０００６】
本発明は、以上のような課題を解決するためになされたもので、熱交換効率の低下を抑制し、組み立て作業性を改善しつつ、室外熱交換器への液冷媒の溜まり込みを抑制することができる空気調和機の室外機を提供することを目的としている。
【課題を解決するための手段】
【０００７】
本発明に係る空気調和機の室外機は、外郭を構成する筐体と、前記筐体内を送風機室と機械室とに仕切るセパレータと、前記送風機室に設置され、空気と冷媒との間で熱交換を行う室外熱交換器と、前記送風機室に設置され、前記室外熱交換器に送風を行う送風機と、前記機械室に設置され、冷媒を圧縮する圧縮機と、前記セパレータの前記送風機室側の面に設けられたヒーターと、を備えたものである。
【発明の効果】
【０００８】
本発明に係る空気調和機の室外機によれば、セパレータの送風機室側の面にヒーターが設けられているため、組み立て作業性を改善することができる。また、ヒーターによって送風機から室外熱交換器へと向かう風が遮られることがないため、熱交換効率の低下を抑制することができる。そして、ヒーターによって室外熱交換器を温めることで、室外熱交換器への液冷媒の溜まり込みを抑制することができる。つまり、熱交換効率の低下を抑制し、組み立て作業性を改善しつつ、室外熱交換器への液冷媒の溜まり込みを抑制することができる。
【図面の簡単な説明】
【０００９】
【図１】本発明の実施の形態１に係る空気調和機の室外機の外観を示す斜視図である。
【図２】本発明の実施の形態１に係る空気調和機の室外機の内部構成を示す第１の斜視図である。
【図３】本発明の実施の形態１に係る空気調和機の室外機の内部構成を示す第２の斜視図である。
【図４】本発明の実施の形態１に係る空気調和機の室外機の内部構成を示す第３の斜視図である。
【図５】本発明の実施の形態１に係る空気調和機の室外機の内部構成を示す平面図である。
【図６】本発明の実施の形態１に係る空気調和機の室外機の機能ブロックである。
【図７】本発明の実施の形態１に係る空気調和機の室外機のヒーターの制御フローを示す図である。
【図８】本発明の実施の形態２に係る空気調和機の室外機のヒーターの制御フローを示す図である。
【図９】本発明の実施の形態３に係る空気調和機の室外機の内部構成を示す平面図である。
【図１０】本発明の実施の形態４に係る空気調和機の室外機の内部構成を示す斜視図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る空気調和機の室外機１００の外観を示す斜視図である。図２は、本発明の実施の形態１に係る空気調和機の室外機１００の内部構成を示す第１の斜視図である。図３は、本発明の実施の形態１に係る空気調和機の室外機１００の内部構成を示す第２の斜視図である。図４は、本発明の実施の形態１に係る空気調和機の室外機１００の内部構成を示す第３の斜視図である。図５は、本発明の実施の形態１に係る空気調和機の室外機１００の内部構成を示す平面図である。
【００１２】
以下、図１〜図５に基づいて、本実施の形態１に係る空気調和機の室外機１００の構成について説明する。
なお、以下の説明において、理解を容易にするために方向を表す用語、例えば「上」、「下」、「右」、「左」、「前」、「後」など、を適宜用いるが、これは説明のためのものであって、これらの用語は本願発明を限定するものではない。また、本実施の形態１では、空気調和機の室外機１００を正面視した状態において、「上」、「下」、「右」、「左」、「前」、「後」などを使用する。
【００１３】
図１に示されるように、空気調和機の室外機１００は、外郭を構成する筐体１を備えている。図２に示されるように、筐体１は、外郭の前面を構成する前面パネル５１と、外郭の左側面を構成する側面パネル５２とを備えている。この前面パネル５１および側面パネル５２は、例えば鉄などの熱反射率の高い材料である熱反射材料で構成されている。
【００１４】
また、図３および図４に示されるように、空気調和機の室外機１００は、筐体１内を送風機室１０Ａと機械室１０Ｂとに仕切るセパレータ１０を備えている。送風機室１０Ａには、空気と冷媒との間で熱交換を行う室外熱交換器５と、室外熱交換器５に送風を行う送風機４と、が設置されている。また、機械室１０Ｂには、冷媒を圧縮する圧縮機２と、各種電気品を収容する電気品箱３と、が設置されている。
【００１５】
なお、本実施の形態１では、送風機４が上下方向に２つ設けられているが、それに限定されず、少なくとも１つ設けられていればよい。
【００１６】
また、筐体１内には、外気温度を検出する外気温度検出装置２０が設けられている。外気温度検出装置２０は、例えば、サーミスタで構成されている。
【００１７】
図３〜図５に示されるように、セパレータ１０の送風機室１０Ａ側の側面には、例えばシーズヒーターなどで構成されたヒーター１１が設けられている。ヒーター１１は、室外熱交換器５の上下方向全体に熱を伝えやすくするため、セパレータ１０の上端近傍から下端近傍にわたって設けられている。また、ヒーター１１は、室外熱交換器５の前後方向全体に熱を伝えやすくするため、セパレータ１０の前端近傍から後端近傍にわたって設けられている。また、ヒーター１１は、セパレータ１０上に形成されている凹凸加工部分１２を避けるように屈曲してセパレータ１０に固定されている。
【００１８】
図６は、本発明の実施の形態１に係る空気調和機の室外機１００の機能ブロックである。
本実施の形態１に係る空気調和機の室外機１００は、電気品箱３に制御装置３０が設けられている。制御装置３０は、図６に示されるように、メイン制御部３１と、記憶部３２と、駆動部３３と、を備えている。
【００１９】
メイン制御部３１は、外気温度検出装置２０の検出値、および、リモコン（図示せず）などからの指示に基づいて、圧縮機２の運転周波数、送風機４の回転数（ＯＮ／ＯＦＦ含む）、および、ヒーター１１の電力量（ＯＮ／ＯＦＦ含む）の制御を、駆動部３３に指示するものである。
【００２０】
記憶部３２は、後述する第１温度Ｔ１、第２温度Ｔ２などの各種情報を記憶するものである。
【００２１】
駆動部３３は、メイン制御部３１からの指示に基づいて、圧縮機２の運転周波数、送風機４の回転数（ＯＮ／ＯＦＦ含む）、および、ヒーター１１の電力量（ＯＮ／ＯＦＦ含む）を制御するものである。
【００２２】
なお、本実施の形態では、制御装置３０が記憶部３２を備えている構成としたが、それに限定されず、記憶部３２を制御装置３０とは別体として設けられている構成としてもよい。
【００２３】
図７は、本発明の実施の形態１に係る空気調和機の室外機１００のヒーター１１の制御フローを示す図である。
以下、本実施の形態１に係る空気調和機の室外機１００のヒーター１１の制御処理について、図７を用いて説明する。
【００２４】
制御装置３０は、外気温度検出装置２０が検出した外気温度が、あらかじめ設定された第１温度Ｔ１より高いかどうかを判定する（ステップＳ１０１）。ここで、第１温度Ｔ１は、室外熱交換器５への液冷媒の溜まり込みが発生する可能性のある温度である。
【００２５】
制御装置３０は、外気温度が第１温度Ｔ１より高いと判定した場合（ステップＳ１０１のＹＥＳ）、再度ステップＳ１０１の処理を行う。一方、制御装置３０は、外気温度が第１温度Ｔ１以下であると判定した場合（ステップＳ１０１のＮＯ）、ヒーター１１をＯＮする（ステップＳ１０２）。
【００２６】
ステップＳ１０２の後、制御装置３０は、外気温度検出装置２０が検出した外気温度が、あらかじめ設定された第２温度Ｔ２より高いかどうかを判定する（ステップＳ１０３）。ここで、第２温度Ｔ２は、室外熱交換器５への液冷媒の溜まり込みが発生する可能性のない温度に所定の許容値を加えた温度であり、第２温度Ｔ２＞第１温度Ｔ１である。
【００２７】
制御装置３０は、外気温度が第２温度Ｔ２より高いと判定した場合（ステップＳ１０３のＹＥＳ）、ヒーター１１をＯＦＦし（ステップＳ１０４）、ステップＳ１０１の処理に戻る。一方、制御装置３０は、外気温度が第２温度Ｔ２以下であると判定した場合（ステップＳ１０３のＮＯ）、再度ステップＳ１０３の処理を行う。
【００２８】
なお、本実施の形態１では、制御装置３０は、圧縮機２の運転の有無にかかわらず、外気温度が第１温度Ｔ１より高いかどうかを判定しているが、それに限定されない。圧縮機２の運転中において、外気温度が第１温度Ｔ１以下とならないような場合には、制御装置３０が、圧縮機２の運転が停止しているかどうかを判定する。そして、圧縮機２の運転が停止していると判定したら、外気温度が第１温度Ｔ１より高いかどうかを判定する構成としてもよい。
【００２９】
以上、本実施の形態１に係る空気調和機の室外機１００は、外郭を構成する筐体１と、筐体１内を送風機室１０Ａと機械室１０Ｂとに仕切るセパレータ１０と、を備えている。また、送風機室１０Ａに設置され、空気と冷媒との間で熱交換を行う室外熱交換器５と、送風機室１０Ａに設置され、室外熱交換器５に送風を行う送風機４と、を備えている。また、機械室１０Ｂに設置され、冷媒を圧縮する圧縮機２と、セパレータ１０の送風機室１０Ａ側の面に設けられたヒーター１１と、を備えている。
【００３０】
本実施の形態１に係る空気調和機の室外機１００によれば、セパレータ１０の送風機室１０Ａ側の面にヒーター１１が設けられているため、組み立て作業性を改善することができる。また、ヒーター１１によって送風機４から室外熱交換器５へと向かう風が遮られることがないため、熱交換効率の低下を抑制することができる。そして、ヒーター１１によって室外熱交換器５を温めることで、室外熱交換器５への液冷媒の溜まり込みを抑制することができる。つまり、本実施の形態１に係る空気調和機の室外機１００は、熱交換効率の低下を抑制し、組み立て作業性を改善しつつ、室外熱交換器５への液冷媒の溜まり込みを抑制することができる。
【００３１】
また、本実施の形態１に係る空気調和機の室外機１００は、外気温度を検出する外気温度検出装置２０と、ヒーター１１を制御する制御装置３０と、を備えている。そして、制御装置３０は、外気温度検出装置２０により検出した外気温度があらかじめ設定された第１温度Ｔ１以下であると判定した場合、ヒーター１１をＯＮする。また、制御装置３０は、外気温度検出装置２０により検出した外気温度があらかじめ設定された第２温度Ｔ２より高いと判定した場合、ヒーター１１をＯＦＦする。
【００３２】
本実施の形態１に係る空気調和機の室外機１００によれば、制御装置３０は、外気温度が室外熱交換器５への液冷媒の溜まり込みが発生する可能性のある温度以下となった場合に、ヒーター１１をＯＮする。また、制御装置３０は、外気温度検出装置２０により検出した外気温度が室外熱交換器５への液冷媒の溜まり込みが発生する可能性のない温度より高くなった場合に、ヒーター１１をＯＦＦする。そうすることで、室外熱交換器５への液冷媒の溜まり込みを抑制することができるとともに、外気温度が室外熱交換器５への液冷媒の溜まり込みが発生する可能性のない温度のときはヒーター１１をＯＦＦするため、消費電力を低減させることができる。
【００３３】
また、本実施の形態１に係る空気調和機の室外機１００の筐体１は、前面パネル５１と側面パネル５２とを備えており、前面パネル５１と側面パネル５２とは、熱反射材料で構成されている。
【００３４】
本実施の形態１に係る空気調和機の室外機１００によれば、前面パネル５１と側面パネル５２とが熱反射材料で構成されているので、熱反射も利用してヒーター１１で室外熱交換器５を温める効果を高めることができる。つまり、ヒーター１１で効率よく室外熱交換器５全体を温めることができるため、ヒーター１１で発生させる熱量を低減させることができ、消費電力を低減させることができる。
【００３５】
実施の形態２．
以下、本発明の実施の形態２について説明するが、実施の形態１と重複するものについては説明を省略し、実施の形態１と同じ部分または相当する部分には同じ符号を付す。
【００３６】
実施の形態１に係る空気調和機の室外機１００では、外気温度に応じてヒーター１１のＯＮ／ＯＦＦのみを行っていたが、本実施の形態２に係る空気調和機の室外機１００では、外気温度に応じてヒーター１１のＯＮ／ＯＦＦのみならず、電力量の変更も行う。
【００３７】
図８は、本発明の実施の形態２に係る空気調和機の室外機１００のヒーター１１の制御フローを示す図である。
以下、本実施の形態２に係る空気調和機の室外機１００のヒーター１１の制御処理について、図８を用いて説明する。なお、以下では、ヒーター１１の電力量を、一番大きい「強」、一番小さい「弱」、それらの間の「中」の三段階で制御する例について説明するが、それに限定されず、二段階でもよいし、四段階以上でもよい。
【００３８】
制御装置３０は、外気温度検出装置２０が検出した外気温度が、あらかじめ設定された第１温度Ｔ１より高いかどうかを判定する（ステップＳ２０１）。ここで、第１温度Ｔ１は、室外熱交換器５への液冷媒の溜まり込みが発生する可能性のある温度である。
【００３９】
制御装置３０は、外気温度が第１温度Ｔ１より高いと判定した場合（ステップＳ２０１のＹＥＳ）、再度ステップＳ２０１の処理を行う。一方、制御装置３０は、外気温度が第１温度Ｔ１以下であると判定した場合（ステップＳ２０１のＮＯ）、ヒーター１１をＯＮし（ステップＳ２０２）、ステップＳ２０３の処理に進む。
【００４０】
ステップＳ２０３において、制御装置３０は、外気温度検出装置２０が検出した外気温度が、あらかじめ設定された第４温度Ｔ４以下であるかどうかを判定する。
【００４１】
制御装置３０は、外気温度が第４温度Ｔ４以下であると判定した場合（ステップＳ２０３のＹＥＳ）、ヒーター１１の電力量を「強」に設定し（ステップＳ２０４）、ステップＳ２０３の処理に戻る。一方、制御装置３０は、外気温度が第４温度Ｔ４より高いと判定した場合（ステップＳ２０３のＮＯ）、ステップＳ２０５の処理に進む。
【００４２】
ステップＳ２０５において、制御装置３０は、外気温度検出装置２０が検出した外気温度が、第４温度Ｔ４より高く、かつ、あらかじめ設定された第３温度Ｔ３以下であるかどうかを判定する。なお、第３温度Ｔ３＞第４温度Ｔ４である。
【００４３】
制御装置３０は、外気温度が第４温度Ｔ４より高く、かつ、第３温度Ｔ３以下であると判定した場合（ステップＳ２０５のＹＥＳ）、ヒーター１１の電力量を「中」に設定し（ステップＳ２０６）、ステップＳ２０３の処理に戻る。一方、制御装置３０は、外気温度が第３温度Ｔ３より高いと判定した場合（ステップＳ２０５のＮＯ）、ステップＳ２０７の処理に進む。
【００４４】
ステップＳ２０７において、制御装置３０は、外気温度検出装置２０が検出した外気温度が、第３温度Ｔ３より高く、かつ、あらかじめ設定された第２温度Ｔ２以下であるかどうかを判定する。ここで、第２温度Ｔ２は、室外熱交換器５への液冷媒の溜まり込みが発生する可能性のない温度に所定の許容値を加えた温度であり、第２温度Ｔ２＞第１温度Ｔ１である。また、第２温度Ｔ２＞第３温度Ｔ３である。
【００４５】
制御装置３０は、外気温度が第３温度Ｔ３より高く、かつ、第２温度Ｔ２以下であると判定した場合（ステップＳ２０７のＹＥＳ）、ヒーター１１の電力量を「弱」に設定し（ステップＳ２０８）、ステップＳ２０３の処理に戻る。一方、制御装置３０は、外気温度が第２温度Ｔ２より高いと判定した場合（ステップＳ２０７のＮＯ）、ヒーター１１をＯＦＦし（ステップＳ２０９）、ステップＳ２０１の処理に戻る。
【００４６】
以上、本実施の形態２に係る空気調和機の室外機１００の制御装置３０は、ヒーター１１がＯＮ時、外気温度に応じて、ヒーター１１の電力量を変更する。
【００４７】
本実施の形態２に係る空気調機の室外機１００によれば、外気温度に応じて、ヒーター１１の電力量を変更するため、外気温度に応じて、室外熱交換器５の加熱量を調整することができる。その結果、外気温度が低い場合は室外熱交換器５の加熱量を大きくすることで、ヒーター１１で効率よく室外熱交換器５を温めることができる。また、外気温度が高い場合は室外熱交換器５の加熱量を小さくすることで、ヒーター１１で発生させる熱量を低減させることができ、消費電力を低減させることができる。
【００４８】
実施の形態３．
以下、本発明の実施の形態３について説明するが、実施の形態１および２と重複するものについては説明を省略し、実施の形態１および２と同じ部分または相当する部分には同じ符号を付す。
【００４９】
図９は、本発明の実施の形態３に係る空気調和機の室外機１００の内部構成を示す平面図である。
従来の空気調和機の室外機において、低外気時に運転を停止させると、運転停止中に圧縮機の温度が下がり、圧縮機への液冷媒の溜まり込みが発生してしまう。その結果、圧縮機内で冷媒と冷凍機油とが混ざり希釈されてしまい、圧縮機の油濃度が薄くなってしまう。そこで、図９に示されるように、本実施の形態３では、セパレータ１０の送風機室１０Ａ側の面に設けられているヒーター１１Ａに加え、セパレータ１０の機械室１０Ｂ側の面にも、例えばシーズヒーターなどで構成されたヒーター１１Ｂが設けられている。
【００５０】
ヒーター１１Ｂは、圧縮機２の上下方向全体に熱を伝えやすくするため、セパレータ１０の面上に、圧縮機２の上端近傍の位置から下端近傍の位置にわたって設けられている。また、ヒーター１１Ｂは、圧縮機２の前後方向全体に熱を伝えやすくするため、セパレータ１０面上に、圧縮機２の前端近傍の位置から後端近傍の位置にわたって設けられている。また、ヒーター１１Ｂは、セパレータ１０上に形成されている凹凸加工部分１２を避けるように屈曲してセパレータ１０に固定されている。
【００５１】
以上、本実施の形態３に係る空気調和機の室外機１００は、ヒーター１１Ｂが、セパレータ１０の機械室１０Ｂ側の面にも設けられている。
【００５２】
本実施の形態３に係る空気調和機の室外機１００によれば、圧縮機２への液冷媒の溜まり込みを抑制することができるため、焼き付けなどの不具合の発生をさらに効率よく抑制することができる。
【００５３】
実施の形態４．
以下、本発明の実施の形態４について説明するが、実施の形態１〜３と重複するものについては説明を省略し、実施の形態１〜３と同じ部分または相当する部分には同じ符号を付す。
【００５４】
図１０は、本発明の実施の形態４に係る空気調和機の室外機１００の内部構成を示す斜視図である。
図１０に示されるように、本実施の形態４では、側面パネル５２の裏面に、例えば鉄などの熱反射率の高い材料で構成された熱反射板２１（破線で図示）が設けられている。なお、側面パネル５２の裏面ではなく、前面パネル５１の裏面に熱反射板２１を設けてもよいし、前面パネル５１の裏面および側面パネル５２の裏面それぞれに熱反射板２１を設けてもよい。
【００５５】
また、前面パネル５１および側面パネル５２のうち、裏面に熱反射板２１が設けられている方を、熱反射材料以外の材料で構成してもよい。
【００５６】
以上、本実施の形態４に係る空気調和機の室外機１００は、少なくとも前面パネル５１の裏面または側面パネル５２の裏面に、熱反射板２１が設けられている。
【００５７】
本実施の形態４に係る空気調和機の室外機１００によれば、少なくとも前面パネル５１の裏面または側面パネル５２の裏面に、熱反射板２１が設けられている。そのため、前面パネル５１および側面パネル５２を熱反射材料で構成しなくても熱反射を利用することができ、ヒーター１１で室外熱交換器５を温める効果を高めることができる。つまり、ヒーター１１で効率よく室外熱交換器５全体を温めることができるため、ヒーター１１で発生させる熱量を低減させることができ、消費電力を低減させることができる。
【符号の説明】
【００５８】
１  筐体、２  圧縮機、３  電気品箱、４  送風機、５  室外熱交換器、１０  セパレータ、１０Ａ  送風機室、１０Ｂ  機械室、１１  ヒーター、１１Ａ  ヒーター、１１Ｂ  ヒーター、１２  凹凸加工部分、２０  外気温度検出装置、２１  熱反射板、３０  制御装置、３１  メイン制御部、３２  駆動部、３３  記憶部、５１  前面パネル、５２  側面パネル、１００  室外機。
【図１】
2019058456.tif 000003
【図２】
2019058456.tif 000004
【図３】
2019058456.tif 000005
【図４】
2019058456.tif 000006
【図５】
2019058456.tif 000007
【図６】
2019058456.tif 000008
【図７】
2019058456.tif 000009
【図８】
2019058456.tif 000010
【図９】
2019058456.tif 000011
【図１０】
2019058456.tif 000012
【手続補正書】
【提出日】令和1年11月14日(2019.11.14)
【手続補正１】
【補正対象書類名】明細書
【補正対象項目名】０００７
【補正方法】変更
【補正の内容】
【０００７】
本発明に係る空気調和機の室外機は、外郭を構成する筐体と、前記筐体内を送風機室と機械室とに仕切るセパレータと、前記送風機室に設置され、空気と冷媒との間で熱交換を行う室外熱交換器と、前記送風機室に設置され、前記室外熱交換器に送風を行う送風機と、前記機械室に設置され、冷媒を圧縮する圧縮機と、前記セパレータの前記送風機室側の面に設けられたヒーターと、外気温度を検出する外気温度検出装置と、前記ヒーターを制御する制御装置と、を備え、前記制御装置は、前記外気温度検出装置により検出した外気温度があらかじめ設定された第１温度以下であると判定した場合、前記ヒーターをＯＮし、前記ヒーターがＯＮ時、前記外気温度に応じて、前記ヒーターの電力量を変更するものである。
【手続補正２】
【補正対象書類名】特許請求の範囲
【補正対象項目名】全文
【補正方法】変更
【補正の内容】
【特許請求の範囲】
【請求項１】
外郭を構成する筐体と、
前記筐体内を送風機室と機械室とに仕切るセパレータと、
前記送風機室に設置され、空気と冷媒との間で熱交換を行う室外熱交換器と、
前記送風機室に設置され、前記室外熱交換器に送風を行う送風機と、
前記機械室に設置され、冷媒を圧縮する圧縮機と、
前記セパレータの前記送風機室側の面に設けられたヒーターと、
外気温度を検出する外気温度検出装置と、
前記ヒーターを制御する制御装置と、を備え、
前記制御装置は、
前記外気温度検出装置により検出した外気温度があらかじめ設定された第１温度以下であると判定した場合、前記ヒーターをＯＮし、
前記ヒーターがＯＮ時、
前記外気温度に応じて、前記ヒーターの電力量を変更する
空気調和機の室外機。
【請求項２】
前記ヒーターが、前記セパレータの前記機械室側の面にも設けられている
請求項１に記載の空気調和機の室外機。
【請求項３】
前記筐体は、前面パネルと側面パネルとを備えている
請求項１または２に記載の空気調和機の室外機。
【請求項４】
前記前面パネルと前記側面パネルとは、熱反射材料で構成されている
請求項３に記載の空気調和機の室外機。
【請求項５】
少なくとも前記前面パネルの裏面または前記側面パネルの裏面に、熱反射板が設けられている
請求項３または４に記載の空気調和機の室外機。
【請求項６】
前記制御装置は、
前記外気温度があらかじめ設定された第２温度より高いと判定した場合、前記ヒーターをＯＦＦする
請求項１〜５のいずれか一項に記載の空気調和機の室外機。
【国際調査報告】
2019058456.tif 000013
2019058456.tif 000014
2019058456.tif 000015